(57)【要約】【課題】情報記録媒体が載置される載置板の前側が、前側に向かうにしたがって下側に向かうように傾斜する傾斜面となっていても、綴じ目部分で折れ曲がっているパスポート等の情報記録媒体を開いた状態で情報記録媒体の一部を載置板に載置するときに、情報記録媒体の綴じ目部分が筐体と載置板との境界部分の手前で引っ掛かるのを防止することが可能な情報読取装置を提供する。【解決手段】この情報読取装置では、筐体の前面に、媒体挿入口１０ａの下側かつ前側に配置され前側に向かうにしたがって下側に向かうように傾斜する傾斜面１０ｅが形成され、載置板３の上面３ｂと前端面３ａとの境界に、前側に向かうにしたがって下側に向かうように傾斜する傾斜面３ｃが形成されている。傾斜面１０ｅの上端１０ｈは、前後方向において載置板３の前端面３ａと略同じ位置に配置され、上下方向において載置板３の上面３ｂと傾斜面３ｃの下端３ｄとの間に配置されている。【選択図】図８
2019186765.tif 000002
【特許請求の範囲】
【請求項１】
情報記録媒体に記録された情報を光学的に読み取る情報読取装置において、
前記情報記録媒体が載置される平板状の透明な載置板と、前記載置板に載置される前記情報記録媒体に光を照射する照明と、前記載置板に載置される前記情報記録媒体に記録された情報を読み取るための光学系と、前記載置板、前記照明および前記光学系が収容される筐体とを備え、
前記情報読取装置への前記情報記録媒体の挿入方向側を後ろ側とし、前記情報読取装置からの前記情報記録媒体の抜取り方向側を前側とすると、
前記筐体の前面には、前記載置板に載置される前記情報記録媒体が挿入される媒体挿入口と、前記媒体挿入口の下側かつ前側に配置され前側に向かうにしたがって下側に向かうように傾斜する傾斜面とが形成され、
前記載置板の上面と前記載置板の前端面との境界には、前側に向かうにしたがって下側に向かうように傾斜する第２傾斜面が形成され、
前記傾斜面の上端は、前後方向において前記載置板の前端面と略同じ位置に配置されるとともに、上下方向において前記載置板の上面と前記第２傾斜面の下端との間に配置されていることを特徴とする情報読取装置。
【請求項２】
前記筐体は、前記傾斜面が形成される傾斜面形成部を備え、
前記傾斜面形成部の後端には、前記載置板の前端面が当接可能な当接面が形成され、
前記傾斜面の上端は、前記当接面の上端と繋がっていることを特徴とする請求項１記載の情報読取装置。
【請求項３】
弾性体で形成され前記媒体挿入口を囲むように配置される環状のクッション部材を備え、
前記筐体には、前記クッション部材が配置される凹部が形成され、
前記凹部の一部は、前記傾斜面形成部の後端の、前記当接面の下側に形成されるとともに、前記傾斜面形成部の後端から前側に向かって窪んでおり、
前記当接面の下側で、前記載置板の前端面が前記クッション部材に接触していることを特徴とする請求項２記載の情報読取装置。
【請求項４】
前記傾斜面形成部には、前記クッション部材の一部を下側から支持する支持面が形成され、
前記支持面の後端は、前記当接面よりも後ろ側に配置され、
前記載置板の下面の前端部は、前記クッション部材に接触し、
上下方向において、前記載置板の下面と前記支持面との間に隙間が形成されていることを特徴とする請求項３記載の情報読取装置。
【請求項５】
前記載置板の下面と前記支持面との上下方向の距離は、前記載置板の上面と前記傾斜面の上端との上下方向の距離以上となっていることを特徴とする請求項４記載の情報読取装置。
【発明の詳細な説明】
【技術分野】
【０００１】
本発明は、情報記録媒体に記録された情報を光学的に読み取る情報読取装置に関する。
【背景技術】
【０００２】
従来、情報記録媒体に記録された情報を光学的に読み取る情報読取装置が知られている（たとえば、特許文献１参照）。特許文献１に記載の情報読取装置は、手動式の読取装置であり、情報読取装置への情報記録媒体の挿入と情報読取装置からの情報記録媒体の抜取りとが手動で行われる。この情報読取装置で読み取られる情報記録媒体は、パスポートおよびＩＤカードである。パスポートは、通常、綴じ目部分で２つに折れ曲がっており、パスポートには、折り目が付いている。
【０００３】
特許文献１に記載の情報読取装置は、情報記録媒体が載置される透明なガラス板と、ガラス板に載置された情報記録媒体の下面に光を照射する第１の照明と、ガラス板に載置された情報記録媒体の上面に光を照射する第２の照明と、ガラス板に載置された情報記録媒体の下面に記録された情報を読み取るための第１の光学系と、ガラス板に載置された情報記録媒体の上面に記録された情報を読み取るための第２の光学系とを備えている。
【０００４】
特許文献１に記載の情報読取装置では、ガラス板、第１、第２の照明および第１、第２の光学系は、筐体に収容されている。筐体の前面には、ガラス板に載置される情報読取媒体が挿入される媒体挿入口が形成されている。また、筐体の前面には、媒体挿入口の下側および前側に配置される傾斜面が形成されている。この傾斜面は、前側に向かうにしたがって下側に向かうように傾斜する段差のない平面である。ガラス板は、筐体の傾斜面の上端の後ろ側に配置されている。ガラス板の上面は、上下方向に直交する平面となっている。
【０００５】
特許文献１に記載の情報読取装置では、ＩＤカードの全体がガラス板に載置される。特許文献１に記載の情報読取装置において、ガラス板に載置されたＩＤカードの情報を読み取る場合、まず、第１の照明が光を照射して、ＩＤカードの下面に記録された情報を光学的に読み取り、その後、第２の照明が光を照射して、ＩＤカードの上面に記録された情報を光学的に読み取る。
【０００６】
また、特許文献１に記載の情報読取装置では、開いた状態のパスポートの背表紙が筐体とガラス板との境界部分に配置されるように、パスポートの一部がガラス板に載置される。また、パスポートは、個人情報が記録された表紙の裏面が下側を向くようにガラス板に載置される。特許文献１に記載の情報読取装置において、ガラス板に載置されたパスポートの情報を読み取る場合、第１の照明が光を照射して、パスポートの表紙の裏面に記録された情報を光学的に読みる。
【先行技術文献】
【特許文献】
【０００７】
【特許文献１】特開２０１８−２６８０５号公報
【発明の概要】
【発明が解決しようとする課題】
【０００８】
特許文献１に記載の情報読取装置では、筐体の前面に形成される傾斜面の上端の後ろ側にガラス板が配置されており、情報記録媒体が載置されるガラス板の前側は、前側に向かうにしたがって下側に向かうように傾斜する傾斜面となっている。そのため、この情報読取装置では、たとえば、ガラス板の前側が、ガラス板の上面と同一平面上に配置されるとともに上下方向に直交する平面になっている場合と比較して、折り目が付いていて開きにくいパスポートの表紙の裏面の全体を、ガラス板の上面に接触させやすくなっている。したがって、この情報読取装置では、パスポートの表紙の裏面の、ガラス板の上面からの浮きを防止して、パスポートに記録された情報を適切に読み取ることが可能になっている。
【０００９】
一方で、特許文献１に記載の情報読取装置では、情報記録媒体が載置されるガラス板の前側が、前側に向かうにしたがって下側に向かうように傾斜する傾斜面となっているため、開いた状態のパスポートの一部をガラス板に載置するときに、傾斜面が形成される筐体とガラス板との境界部分の手前でパスポートの綴じ目部分が引っ掛かる可能性が生じる。筐体とガラス板との境界部分の手前でパスポートの綴じ目部分が引っ掛かると、パスポートの表紙の裏面の、情報が読み取られる部分の全体をガラス板に載置できなくなって、パスポートに記録された情報を適切に読み取ることができなくなるおそれがある。
【００１０】
そこで、本発明の課題は、情報記録媒体に記録された情報を光学的に読み取る情報読取装置において、情報記録媒体が載置される載置板の前側が、前側に向かうにしたがって下側に向かうように傾斜する傾斜面となっていても、綴じ目部分で折れ曲がっていて折り目が付いているパスポート等の情報記録媒体（冊子状の情報記録媒体）を開いた状態で情報記録媒体の一部を載置板に載置するときに、傾斜面が形成される筐体と載置板との境界部分の手前で情報記録媒体の綴じ目部分が引っ掛かるのを防止することが可能な情報読取装置を提供することにある。
【課題を解決するための手段】
【００１１】
上記の課題を解決するため、本発明の情報読取装置は、情報記録媒体に記録された情報を光学的に読み取る情報読取装置において、情報記録媒体が載置される平板状の透明な載置板と、載置板に載置される情報記録媒体に光を照射する照明と、載置板に載置される情報記録媒体に記録された情報を読み取るための光学系と、載置板、照明および光学系が収容される筐体とを備え、情報読取装置への情報記録媒体の挿入方向側を後ろ側とし、情報読取装置からの情報記録媒体の抜取り方向側を前側とすると、筐体の前面には、載置板に載置される情報記録媒体が挿入される媒体挿入口と、媒体挿入口の下側かつ前側に配置され前側に向かうにしたがって下側に向かうように傾斜する傾斜面とが形成され、載置板の上面と載置板の前端面との境界には、前側に向かうにしたがって下側に向かうように傾斜する第２傾斜面が形成され、傾斜面の上端は、前後方向において載置板の前端面と略同じ位置に配置されるとともに、上下方向において載置板の上面と第２傾斜面の下端との間に配置されていることを特徴とする。
【００１２】
本発明の情報読取装置では、筐体の前面に形成されるとともに前側に向かうにしたがって下側に向かうように傾斜する傾斜面の上端は、前後方向において載置板の前端面と略同じ位置に配置されている。そのため、本発明では、載置板の前側が、前側に向かうにしたがって下側に向かうように傾斜する傾斜面となっていても、綴じ目部分で折れ曲がっていて折り目が付いているパスポート等の情報記録媒体を開いた状態で情報記録媒体の一部を載置板に載置するときに、情報記録媒体の綴じ目部分が筐体と載置板との境界部分の手前で引っ掛かるのを防止することが可能になる。
【００１３】
また、本発明では、情報記録媒体が載置される載置板の上面と載置板の前端面との境界に、前側に向かうにしたがって下側に向かうように傾斜する第２傾斜面が形成されるとともに、傾斜面の上端は、上下方向において載置板の上面と第２傾斜面の下端との間に配置されている。そのため、本発明では、情報記録媒体を載置板に載置するときに、情報記録媒体の端部が筐体と載置板との境界部分に引っ掛かるのを防止することが可能になる。また、本発明では、特許文献１に記載のＩＤカードのように、載置板に全体が載置されている情報記録媒体を情報読取装置から抜き取るときに、情報記録媒体の端部が筐体と載置板との境界部分に引っ掛かるのを防止することが可能になる。
【００１４】
本発明において、たとえば、筐体は、傾斜面が形成される傾斜面形成部を備え、傾斜面形成部の後端には、載置板の前端面が当接可能な当接面が形成され、傾斜面の上端は、当接面の上端と繋がっている。
【００１５】
本発明において、情報読取装置は、弾性体で形成され媒体挿入口を囲むように配置される環状のクッション部材を備え、筐体には、クッション部材が配置される凹部が形成され、凹部の一部は、傾斜面形成部の後端の、当接面の下側に形成されるとともに、傾斜面形成部の後端から前側に向かって窪んでおり、当接面の下側で、載置板の前端面がクッション部材に接触していることが好ましい。このように構成すると、クッション部材によって、載置板と筐体との間から筐体の内部に塵埃等が入り込むのを防止することが可能になる。また、このように構成すると、クッション部材によって、載置板の損傷を防止することが可能になる。
【００１６】
本発明において、傾斜面形成部には、クッション部材の一部を下側から支持する支持面が形成され、支持面の後端は、当接面よりも後ろ側に配置され、載置板の下面の前端部は、クッション部材に接触し、上下方向において、載置板の下面と支持面との間に隙間が形成されていることが好ましい。このように構成すると、クッション部材の一部を下側から確実に支持するために、支持面の後端が当接面より後ろ側に配置されていても、また、載置板に載置された情報記録媒体を載置板の上面に接触させるために、使用者が情報記録媒体を載置板に押し付けても、載置板の下面と支持面との接触を防止して、載置板等の損傷を防止することが可能になる。
【００１７】
本発明において、載置板の下面と支持面との上下方向の距離は、載置板の上面と傾斜面の上端との上下方向の距離以上となっていることが好ましい。このように構成すると、使用者が情報記録媒体を載置板に押し付けたときの、載置板の下面と支持面との接触を効果的に防止して、載置板等の損傷を効果的に防止することが可能になる。
【発明の効果】
【００１８】
以上のように、本発明では、情報記録媒体に記録された情報を光学的に読み取る情報読取装置において、情報記録媒体が載置される載置板の前側が、前側に向かうにしたがって下側に向かうように傾斜する傾斜面となっていても、綴じ目部分で折れ曲がっていて折り目が付いているパスポート等の情報記録媒体を開いた状態で情報記録媒体の一部を載置板に載置するときに、傾斜面が形成される筐体と載置板との境界部分の手前で情報記録媒体の綴じ目部分が引っ掛かるのを防止することが可能になる。
【図面の簡単な説明】
【００１９】
【図１】本発明の実施の形態にかかる情報読取装置の斜視図である。
【図２】図１に示す情報読取装置の載置板、カバー部材、照明および媒体押え機構を抜き出して示す斜視図である。
【図３】図２に示す載置板、カバー部材、照明および媒体押え機構の正面図である。
【図４】図１に示す情報読取装置の内部の光路を説明するための側面図である。
【図５】図１に示す情報読取装置のシャッタ機構の動作を説明するための側面図である。
【図６】図１に示す情報読取装置に情報記録媒体が挿入された状態を説明するための斜視図である。
【図７】図１に示す筐体前部および媒体配置部の断面図である。
【図８】図７のＥ部の拡大図である。
【図９】図１に示す情報読取装置の効果を説明するための図である。
【発明を実施するための形態】
【００２０】
以下、図面を参照しながら、本発明の実施の形態を説明する。
【００２１】
（情報読取装置の全体構成）
図１は、本発明の実施の形態にかかる情報読取装置１の斜視図である。図２は、図１に示す情報読取装置１のガラス板３、カバー部材１５、照明４、５および媒体押え機構１２を抜き出して示す斜視図である。図３は、図２に示すガラス板３、カバー部材１５、照明４、５および媒体押え機構１２の正面図である。図４は、図１に示す情報読取装置１の内部の光路を説明するための側面図である。図５は、図１に示す情報読取装置１のシャッタ機構１４の動作を説明するための側面図である。
【００２２】
本形態の情報読取装置１は、情報記録媒体２に記録された情報を光学的に読み取る装置である。すなわち、情報読取装置１は、情報記録媒体２に印刷等された文字や図形等を読み取る装置である。この情報読取装置１は、手動式の読取装置であり、情報読取装置１への情報記録媒体２の挿入と情報読取装置１からの情報記録媒体２の抜取りとが手動で行われる。また、本形態の情報読取装置１は、比較的小さな卓上型の読取装置である。
【００２３】
情報読取装置１で読み取られる情報記録媒体２は、パスポート２ＡおよびＩＤカード２Ｂである（図３参照）。本形態では、情報記録媒体２がパスポート２Ａである場合には、パスポート２Ａの表紙の裏面に記録された情報が情報読取装置１で光学的に読み取られる。また、情報記録媒体２がＩＤカード２Ｂである場合には、ＩＤカード２Ｂの両面に記録された情報が情報読取装置１で光学的に読み取られる。
【００２４】
パスポート２Ａは、ＩＣパスポートであり、ＩＣチップおよび通信用のアンテナが内蔵されるＩＣページを備えている。また、パスポート２Ａは、通常、綴じ目部分２ａ（図４参照）で２つに折れ曲がっており、パスポート２Ａには、折り目が付いている。すなわち、パスポート２Ａは、冊子状の情報記録媒体である。綴じ目部分２ａは、背表紙２ｂに覆われている。また、ＩＤカード２Ｂは、非接触式のＩＣカードであり、ＩＤカード２Ｂには、ＩＣチップと通信用のアンテナとが内蔵されている。ＩＤカード２Ｂは、長方形状に形成されている。また、ＩＤカード２Ｂは、たとえば、厚さが０．７〜０．８ｍｍ程度の矩形状の塩化ビニール製のカードである。
【００２５】
パスポート２Ａは、開いた状態で情報読取装置１に挿入される。開いた状態で情報読取装置１に挿入されたパスポート２Ａの表紙の厚さ方向は、上下方向と一致している。また、情報読取装置１に挿入されたＩＤカード２Ｂの厚さ方向は、上下方向と一致している。なお、図４では、説明の便宜上、パスポート２ＡとＩＤカード２Ｂとが一緒に情報読取装置１に挿入されているが、実際には、パスポート２ＡおよびＩＤカード２Ｂのいずれか一方が情報読取装置１に挿入される。
【００２６】
以下の説明では、情報読取装置１への情報記録媒体２の挿入方向側（図１等のＹ２方向側）を「奥」側または「後ろ」側とし、情報読取装置１からの情報記録媒体２の抜取り方向側（図１等のＹ１方向側）を「前」側とする。また、情報読取装置１に対する情報記録媒体２の挿入抜取り方向（図１等のＹ方向）を「前後方向」とし、上下方向と前後方向とに直交する方向（図１等のＸ方向）を「左右方向」とする。
【００２７】
情報読取装置１は、情報記録媒体２が載置される透明なガラス板３と、ガラス板３に載置された情報記録媒体２の下面に光を照射する照明４と、ガラス板３に載置された情報記録媒体２の上面に光を照射する照明５と、ガラス板３に載置された情報記録媒体２の下面に記録された情報を読み取るための光学系６と、ガラス板３に載置された情報記録媒体２の上面に記録された情報を読み取るための光学系７と、撮像素子８と、光学系６を通過した光を撮像素子８に結像させるとともに光学系７を通過した光を撮像素子８に結像させる結像光学系９とを備えている。本形態のガラス板３は、情報記録媒体２が載置される載置板である。
【００２８】
ガラス板３、照明４、５、光学系６、７、撮像素子８および結像光学系９は、筐体１０に収容されている。すなわち、情報読取装置１は、ガラス板３、照明４、５、光学系６、７、撮像素子８および結像光学系９が収容される筺体１０を備えている。また、情報読取装置１は、ガラス板３に載置されたパスポート２Ａの左右方向の両端部を上側から押えるための媒体押え機構１２を備えている。
【００２９】
さらに、情報読取装置１は、光学系６を通過した光の一部を結像光学系９に向かって透過させるとともに光学系７を通過した光の一部を結像光学系９に向かって反射するビームスプリッタ１３と、ガラス板３に載置された情報記録媒体２の下面に記録された情報を読み取るときに光学系７からビームスプリッタ１３に入射する光を遮るとともにガラス板３に載置された情報記録媒体２の上面に記録された情報を読み取るときに光学系６からビームスプリッタ１３に入射する光を遮るシャッタ機構１４（図５参照）とを備えている。ビームスプリッタ１３およびシャッタ機構１４は、筐体１０に収容されている。なお、図４では、媒体押え機構１２およびシャッタ機構１４の図示を省略している。
【００３０】
また、情報読取装置１は、ガラス板３に載置される情報記録媒体２よりも上側に配置される上面部１５ａと、上面部１５ａの左右の両端側に繋がる２個の側面部１５ｂと、上面部１５ａの奥端側に繋がる奥面部１５ｃとから構成されるカバー部材１５を備えている。カバー部材１５は、アクリル樹脂等の透明な樹脂で形成されている。奥面部１５ｃには、たとえば、遮光性の塗料が塗布されており、奥面部１５ｃは、奥側へ向かう光を遮断する遮光部となっている。一方、上面部１５ａおよび側面部１５ｂは、透明になっている。
【００３１】
上面部１５ａは、長方形の平板状に形成されており、上面部１５ａの厚さ方向と上下方向とが一致するように配置されている。また、上面部１５ａは、上面部１５ａの端面が前後方向または左右方向と平行になるように配置されている。側面部１５ｂは、長方形の平板状に形成されており、側面部１５ｂの厚さ方向と左右方向とが一致するように配置されている。奥面部１５ｃは、長方形の平板状に形成されており、奥面部１５ｃの厚さ方向と前後方向とが一致するように配置されている。奥面部１５ｃの左右の両端は、側面部１５ｂの奥端に繋がっている。
【００３２】
ガラス板３は、長方形の平板状に形成されており、ガラス板３の厚さ方向と上下方向とが一致するように配置されている。また、ガラス板３は、ガラス板３の端面が前後方向または左右方向と平行になるように配置されている。側面部１５ｂの下端および奥面部１５ｃの下端は、ガラス板３の上面に接触している。また、ガラス板３とカバー部材１５とは、互いに固定されている。
【００３３】
本形態では、ガラス板３とカバー部材１５とによって、前面が開口するとともに情報記録媒体２の少なくとも一部が配置される箱状の媒体配置部１６が形成されている。媒体配置部１６は、直方体の箱状に形成されており、筐体１０に収容されている。媒体配置部１６の前面の開口の上下方向の幅（すなわち、ガラス板３の上面と上面部１５ａの下面との距離）は、情報記録媒体２の厚さよりも大幅に広くなっている。
【００３４】
図１に示すように、媒体配置部１６の、前面の開口以外の部分は、筐体１０によって覆われている。筐体１０の前面には、ガラス板３に載置される情報記録媒体２が挿入される媒体挿入口１０ａが形成されている。媒体挿入口１０ａは、媒体配置部１６の前面の開口の前に配置されている。媒体挿入口１０ａの上下方向の幅は、媒体配置部１６の前面の開口の上下方向の幅とほぼ等しくなっている。媒体挿入口１０ａの左右方向の幅は、媒体配置部１６の前面の開口の左右方向の幅とほぼ等しくなっている。
【００３５】
ガラス板３には、ＩＤカード２Ｂの全体が載置される。すなわち、媒体配置部１６には、ＩＤカード２Ｂの全体が配置される。また、ガラス板３には、開いた状態のパスポート２Ａの背表紙２ｂがガラス板３の前端部に配置されるように、パスポート２Ａの一部が載置される。すなわち、媒体配置部１６には、パスポート２Ａの一部が配置される。パスポート２Ａは、個人情報が記録された表紙の裏面が下側を向くようにガラス板３に載置される。本形態では、パスポート２Ａの、ガラス板３に載置された部分の前後方向の幅は、ガラス板３に載置されたＩＤカード２Ｂの前後方向の幅よりも広くなっている。また、パスポート２Ａの左右方向の幅は、ガラス板３に載置されたＩＤカード２Ｂの左右方向の幅よりも広くなっている。
【００３６】
なお、本形態のパスポート２Ａは、国際民間航空機関（ＩＣＡＯ）が公表したガイドラインに沿って作成されたパスポートである。ガラス板３に載置されるパスポート２Ａの表紙の裏面には、顔写真や氏名等が記載されている。また、パスポート２Ａの表紙の裏面の左右方向の両端部の奥端部分には、文字認識に利用される文字が記録されている。
【００３７】
ガラス板３の下側には、ＩＤカード２Ｂに内蔵される通信用のアンテナと通信を行うためのアンテナ（図示省略）が配置されている。このアンテナは、ガラス板３に載置された情報記録媒体２の下面の情報を光学的に読み取る際に支障の出ない位置に配置されている。また、ガラス板３よりも前側には、図１に示すように、パスポート２Ａに内蔵される通信用のアンテナと通信を行うためのアンテナ１７が配置されている。アンテナ１７は、ガラス板３よりも下側に配置されている。また、アンテナ１７は、筺体１０の一部を構成する後述の傾斜面形成部１０ｆの下側に配置されている。なお、パスポート２Ａの仕様によっては、ガラス板３の下側に配置されるアンテナと、パスポート２Ａに内蔵されるアンテナとの通信が行われることもある。
【００３８】
また、情報読取装置１は、図１に示すように、情報読取装置１の前面側かつ上面側に配置されるカメラ１８を備えている。カメラ１８は、媒体配置部１６よりも上側に配置されている。カメラ１８の光軸は、前側に向かうにしたがって上側に向かうように傾斜している。カメラ１８は、たとえば、情報記録媒体２の読取操作を行う者の顔を撮影する。
【００３９】
（照明の構成および配置）
照明４、５は、複数の光源が実装される基板２４と、光源から射出された光が入射する照明レンズ２５とを備えている。本形態の照明４、５は、光源として、複数の白色ＬＥＤと、複数の赤外線ＬＥＤと、複数の紫外線ＬＥＤとを備えている。照明レンズ２５は、基板２４の、光源が実装された面に固定されている。照明レンズ２５には、白色ＬＥＤが射出する白色光と赤外線ＬＥＤが射出する赤外光と紫外線ＬＥＤが射出する紫外光とが入射する。情報記録媒体２には、照明レンズ２５を透過した光が照射される。
【００４０】
図３に示すように、照明４は、ガラス板３よりも下側に配置されている。また、情報読取装置１は、２個の照明４を備えており、照明４は、左右方向におけるガラス板３の両外側のそれぞれに配置されている。照明４は、ガラス板３に載置される情報記録媒体２に向かって左右方向の外側から、かつ、斜め下側から光を照射する。図３（Ａ）に示すように、照明４から射出されガラス板３を透過した光が、ガラス板３に載置される情報記録媒体２の下面に照射される。
【００４１】
照明５は、ガラス板３に載置される情報記録媒体２よりも上側に配置されている。また、情報読取装置１は、２個の照明５を備えており、照明５は、左右方向における媒体配置部１６の両外側のそれぞれに配置されている。照明５は、ガラス板３に載置される情報記録媒体２に向かって左右方向の外側から、かつ、斜め上側から光を照射する。図３（Ｂ）に示すように、照明５から射出され側面部１５ｂを透過した光が、ガラス板３に載置される情報記録媒体２の上面に照射される。
【００４２】
（光学系、結像光学系、ビームスプリッタ、撮像素子の構成および配置）
光学系６は、長方形の平板状に形成される３個の反射ミラー（全反射ミラー）３０、３１、３２を備えている。反射ミラー３０は、ガラス板３に載置されるパスポート２Ａの下側に配置されている。反射ミラー３１は、反射ミラー３０と略同じ高さに配置されるとともに、反射ミラー３０よりも後ろ側に配置されている。反射ミラー３２は、媒体配置部１６の後ろ側に配置されるとともに、反射ミラー３１の上側に配置されている。
【００４３】
反射ミラー３０は、後ろ側に向かうにしたがって下側に向かうように傾斜し、反射ミラー３１、３２は、後ろ側に向かうにしたがって上側に向かうように傾斜している。反射ミラー３０には、ガラス板３に載置された情報記録媒体２の下面で反射された光が入射する。反射ミラー３１には、反射ミラー３０で反射された光が入射し、反射ミラー３２には、反射ミラー３１で反射された光が入射する。
【００４４】
光学系７は、長方形の平板状に形成される２個の反射ミラー（全反射ミラー）３３、３４を備えている。反射ミラー３３は、ガラス板３に載置されるＩＤカード２Ｂの上側に配置されている。また、反射ミラー３３は、カバー部材１５の上面部１５ａの上側に配置されている。反射ミラー３４は、反射ミラー３３と略同じ高さに配置されるとともに、カバー部材１５よりも後ろ側に配置されている。
【００４５】
反射ミラー３３は、後ろ側に向かうにしたがって上側に向かうように傾斜し、反射ミラー３４は、後ろ側に向かうにしたがって下側に向かうように傾斜している。反射ミラー３３には、ガラス板３に載置された情報記録媒体２の上面で反射された光が入射する。反射ミラー３４には、反射ミラー３３で反射された光が入射する。
【００４６】
結像光学系９は、結像レンズ３５を備えている。結像レンズ３５は、反射ミラー３２の後ろ側に配置されている。また、結像レンズ３５は、反射ミラー３４よりも後ろ側に配置されている。撮像素子８は、二次元のＣＭＯＳイメージセンサまたはＣＣＤイメージセンサである。撮像素子８は、結像レンズ３５の後ろ側に配置されている。撮像素子８は、撮像素子８の撮像面が前側を向くように配置されている。
【００４７】
ビームスプリッタ１３は、長方形の平板状に形成されている。本形態のビームスプリッタ１３は、光の透過率と反射率とが等しいハーフミラーである。ビームスプリッタ１３は反射ミラー３２の後ろ側であって、かつ、結像レンズ３５の前側に配置されている。また、ビームスプリッタ１３は、反射ミラー３４の下側に配置されている。ビームスプリッタ１３は、後ろ側に向かうにしたがって下側に向かうように傾斜している。ビームスプリッタ１３は、反射ミラー３２で反射された光の半分を結像レンズ３５に向かって透過させるとともに、反射ミラー３４で反射された光の半分を結像レンズ３５に向かって反射する。
【００４８】
（シャッタ機構の構成）
シャッタ機構１４は、光学系６とビームスプリッタ１３との間の光路を遮る第１遮光位置３７Ａ（図５（Ｂ）参照）と、光学系７とビームスプリッタ１３との間の光路を遮る第２遮光位置３７Ｂ（図５（Ａ）参照）との間で移動可能なシャッタ３７を備えている。シャッタ３７は、反射ミラー３２、３４とビームスプリッタ１３との間の光路を遮る遮光部３７ａを備えている。また、シャッタ機構１４は、第１遮光位置３７Ａと第２遮光位置３７Ｂとの間でシャッタ３７を移動させるシャッタ駆動機構を備えている。シャッタ駆動機構は、シャッタ３７が固定されるレバー部材３９、および、レバー部材３９を回動させるソレノイド（図示省略）等を備えている。
【００４９】
（媒体押え機構の構成）
図６は、図１に示す情報読取装置１に情報記録媒体２が挿入された状態を説明するための斜視図である。
【００５０】
媒体押え機構１２は、媒体配置部１６の中に配置されている。媒体押え機構１２は、パスポート２Ａの左右方向の両端部を上側から押える２個の押え部４１ａを有する押え部材４１と、ＩＤカード２Ｂの後端が接触する接触部４２ａを有する接触部材４２と、押え部材４１および接触部材４２を保持する保持部材４３とを備えている。また、媒体押え機構１２は、保持部材４３に対して押え部材４１を下側に付勢する２個の圧縮コイルバネ４４と２個の圧縮コイルバネ４５とを備えている。
【００５１】
保持部材４３は、媒体押え機構１２の上面を構成する上面部４３ａと、媒体押え機構１２の後面を構成する後面部４３ｂと、媒体押え機構１２の後端側の左右の側面を構成する側面部４３ｃとを備えている。上面部４３ａは、左右方向の長さが長い略長方形の平板状に形成される基部４３ｄと、基部４３ｄの左右の両端側から前側に向かって突出する２個の突出部４３ｅとから構成されている。突出部４３ｅは、前後方向の長さが長い略長方形の平板状に形成されている。後面部４３ｂは、左右方向の長さが長い略長方形の平板状に形成されている。後面部４３ｂの上端は、基部４３ｄの後端に繋がっている。側面部４３ｃは、略長方形の平板状に形成されている。側面部４３ｃの上端は、基部４３ｄの左右の両端に繋がり、側面部４３ｃの後端は、後面部４３ｂの左右の両端に繋がっている。
【００５２】
上面部４３ａの上面には、上側に向かって突出する２個の突起４３ｆと２個の突起４３ｇとが形成されている。突起４３ｆは、突出部４３ｅの前端側部分に形成されている。突起４３ｇは、基部４３ｄの左右方向の両端側のそれぞれに形成されている。突起４３ｆの上面は、上下方向に直交する平面となっている。突起４３ｇは、半球状に形成されている。突起４３ｆの上面および突起４３ｇの上端は、カバー部材１５の上面部１５ａの下面に接触している。
【００５３】
突出部４３ｅの前端側には、下側に向かって突出する円柱状のバネ保持部が形成されており、このバネ保持部は、圧縮コイルバネ４４の内周側に挿入されている。基部４３ｄには、圧縮コイルバネ４５の内周側に挿入される軸部が形成されるバネ保持部材４７が固定されている。バネ保持部材４７に形成される軸部は、基部４３ｄから下側へ突出している。側面部４３ｃには、保持部材４３に対して押え部材４１を上下方向へ案内するためのガイド溝４３ｊが形成されている。ガイド溝４３ｊは、上下方向を長手方向とする長穴状に形成されている。
【００５４】
押え部材４１は、上述のように、２個の押え部４１ａを備えている。押え部４１ａは、前後方向の長さが長い板状に形成されている。また、押え部材４１は、押え部４１ａの前端に繋がるガイド部４１ｂと、２個の押え部４１ａの後端部を繋ぐ接続部４１ｃとを備えている。接続部４１ｃは、押え部４１ａの後端部の上側同士を繋いでいる。
【００５５】
押え部４１ａの下面は、上下方向に直交する平面となっている。押え部４１ａの上面４１ｅは、左右方向の内側に向かうにしたがって下側に向かうように傾斜する傾斜面となっている。２個の押え部４１ａの左右方向の間隔は、パスポート２Ａの左右方向の幅よりも狭くなっている。押え部４１ａは、ガラス板３に載置されたパスポート２Ａの表紙の左右方向の両端部のほぼ全体に上側から接触してパスポート２Ａの左右方向の両端部のほぼ全体を上側から押えている。また、２個の押え部４１ａの左右方向の間隔は、ＩＤカード２Ｂの左右方向の幅よりも広くなっている。
【００５６】
ガイド部４１ｂの下面は、左右方向から見たときの形状が円弧となる凸曲面状に形成されている。また、ガイド部４１ｂの下面は、前側に向かうにしたがって上側へ向かうように傾斜している。ガイド部４１ｂの左右方向の内側面は、前側に向かうにしたがって左右方向の外側に広がっている。ガイド部４１ｂは、媒体挿入口１０ａに挿入されるパスポート２Ａを押え部４１ａの下側に案内する機能を果たしている。また、ガイド部４１ｂは、媒体挿入口１０ａに挿入されるＩＤカード２Ｂを２個の押え部４１ａの間に案内する機能を果たしている。
【００５７】
ガイド部４１ｂの後端部および押え部４１ａは、保持部材４３の突出部４３ｅの下側に配置されている。接続部４１ｃは、保持部材４３の基部４３ｄの下側に配置されている。圧縮コイルバネ４４の下端は、ガイド部４１ｂの後端部の上面に接触し、圧縮コイルバネ４５の下端は、接続部４１ｃの上面に接触している。押え部材４１は、圧縮コイルバネ４４、４５によって保持部材４３に対して下側に付勢されている。情報読取装置１にパスポート２Ａが挿入されていないときには、圧縮コイルバネ４４、４５の付勢力によって、押え部４１ａの下面は、ガラス板３の上面に接触している。
【００５８】
接続部４１ｃの左右の両側面には、左右方向の外側に突出するガイドピン４１ｇが形成されている。ガイドピン４１ｇは、保持部材４３のガイド溝４３ｊに係合している。押え部材４１は、ガイドピン４１ｇとガイド溝４３ｊとによって、保持部材４３に対して上下方向に案内される。また、押え部材４１は、ガイドピン４１ｇを中心にして、かつ、左右方向を回動の軸方向として保持部材４３に対して回動可能となっている。上下方向において、押え部４１ａと突出部４３ｅとの間には、隙間が形成されている。上下方向における押え部４１ａと突出部４３ｅとの間は、照明５から射出された光が通過する光通過部４８となっている。
【００５９】
接触部材４２は、押え部材４１の接続部４１ｃの下側に配置されている。接触部材４２は、上述の接触部４２ａに加えて、接触部４２ａを支持する支持部４２ｂを備えている（図２参照）。接触部４２ａは、左右方向の長さが長い平板状に形成されている。支持部４２ｂは、左右方向の長さが長い略平板状に形成されている。接触部４２ａは、支持部４２ｂの前端に繋がっている。また、接触部４２ａは、支持部４２ｂの前端から下側へ伸びている。接触部４２ａの左右方向の幅は、２個の押え部４１ａの左右方向の間隔よりも狭くなっている。また、接触部４２ａは、前後方向から見たときに２個の押え部４１ａの間に配置されている。
【００６０】
支持部４２ｂの左右の両端面の後端部には、左右方向の外側に突出する突出ピンが形成されている。この突出ピンは、保持部材４３に形成される凹部に係合しており、接触部材４２は、突出ピンを中心にして、かつ、左右方向を回動の軸方向として保持部材４３に対して回動可能となっている。支持部４２ｂの左右方向の両端側には、押え部材４１に形成される押上部が下側から接触している。この押上部は、保持部材４３に対する接触部材４２の回動中心よりも前側に配置されている。
【００６１】
情報読取装置１に情報記録媒体２が挿入されていない状態では、接触部４２ａの下端面は、ガラス板３の上面に接触している。また、この状態では、接触部４２ａの前面は、前後方向に直交する平面となっている。本形態では、情報読取装置１にパスポート２Ａが挿入され始めると、パスポート２Ａが押え部材４１の押え部４１ａの下側に入り込んで押え部４１ａの前端側が持ち上がる。また、パスポート２Ａが情報読取装置１の所定の位置まで入り込むと、押え部材４１の押上部によって支持部４２ｂが押し上げられる。
【００６２】
支持部４２ｂが押し上げられると、接触部材４２が回動して、接触部４２ａが持ち上がる。パスポート２Ａが情報読取装置１にさらに挿入されると、パスポート２Ａの奥端は、接触部４２ａの下側を通過して、接触部４２ａよりも奥側に入り込む。このように、パスポート２Ａが情報読取装置１に挿入されると、押え部４１ａがパスポート２Ａによって持ち上げられてパスポート２Ａの左右方向の両端部を上側から押えるとともに、接触部４２ａが持ち上げられて、パスポート２Ａの奥端が接触部４２ａの下側を通過する。
【００６３】
一方、上述のように、ガラス板３に載置されるＩＤカード２Ｂの左右方向の幅は、２個の押え部４１ａの左右方向の間隔よりも狭くなっている。そのため、情報読取装置１にＩＤカード２Ｂが挿入されても、押え部４１ａが持ち上がらず、押え部材４１は持ち上がらない。したがって、情報読取装置１にＩＤカード２Ｂが挿入されても、接触部４２ａは持ち上がらない。そのため、情報読取装置１にＩＤカード２Ｂが挿入されると、接触部４２ａの前面にＩＤカード２Ｂの奥端が接触する。本形態では、ガラス板３の前端面３ａと接触部４２ａの前面との前後方向の距離は、ＩＤカード２Ｂの前後方向の幅よりも広くなっている。
【００６４】
（ガラス板および筐体の構成）
図７は、図１に示す筐体前部１０ｂおよび媒体配置部１６の断面図である。図８は、図７のＥ部の拡大図である。
【００６５】
上述のように、ガラス板３は、長方形の平板状に形成されており、ガラス板３の厚さ方向と上下方向とが一致するように配置されている。すなわち、ガラス板３の上面３ｂは、上下方向に直交する平面となっている。また、上述のように、ガラス板３は、ガラス板３の端面が前後方向または左右方向と平行になるように配置されている。すなわち、ガラス板３の前端面３ａは、前後方向に直交する平面となっている。
【００６６】
ガラス板３の前端面３ａとガラス板３の上面３ｂとの境界には、前側に向かうにしたがって下側に向かうように傾斜する第２傾斜面としての傾斜面３ｃが形成されている。すなわち、前端面３ａの上端部には、傾斜面３ｃが形成されている。本形態では、Ｃ面取り加工によって傾斜面３ｃが形成されており、傾斜面３ｃは、前側に向かうしたがって下側に向かうように傾斜する平面となっている。また、前後方向に対する傾斜面３ｃの傾斜角度は、４５°となっている。なお、ガラス板３の上面３ｂとガラス板３の後端面との境界、および、ガラス板３の上面３ｂとガラス板３の左右の両端面との境界にも、Ｃ面取り加工によって傾斜面が形成されている。
【００６７】
筐体１０は、前後方向に分割される筺体前部１０ｂと筺体後部１０ｃとから構成されている。筐体前部１０ｂは、筺体１０の前側部分を構成し、筺体後部１０ｃは、筐体１０の後ろ側部分を構成している。上述のように、筐体１０の前面には、媒体挿入口１０ａが形成されている。すなわち、筺体前部１０ｂの前面には、媒体挿入口１０ａが形成されている。なお、媒体配置部１６は、照明４、５および光学系６、７等が取り付けられるフレームに固定されており、筐体前部１０ｂは、このフレームに固定されている。
【００６８】
筐体前部１０ｂの前面部と媒体配置部１６の前端との間には、弾性体で形成される環状のクッション部材５０が配置されている。前後方向から見たときに、クッション部材５０は、媒体挿入口１０ａを囲んでいる。すなわち、情報読取装置１は、媒体挿入口１０ａを囲むように配置される環状のクッション部材５０を備えている。クッション部材５０は、ゴムで形成されている。また、クッション部材５０は、四角環状に形成されている。筐体前部１０ｂには、クッション部材５０が配置される凹部１０ｄが形成されている。凹部１０ｄは、クッション部材５０の形状に応じた四角環状に形成されている。また、凹部１０ｄは、前側に向かって窪むように形成されており、クッション部材５０は、後ろ側から凹部１０ｄの中に配置される。
【００６９】
また、筺体前部１０ｂの前面（筐体１０の前面）には、前側に向かうにしたがって下側に向かうように傾斜する傾斜面１０ｅが形成されている。傾斜面１０ｅは、段差のない平面状に形成されている。また、傾斜面１０ｅは、媒体挿入口１０ａの下側かつ前側に配置されている。前後方向に対する傾斜面１０ｅの傾斜角度は、たとえば、３０°程度となっている。本形態では、平板状に形成される傾斜面形成部１０ｆの上面が傾斜面１０ｅとなっている（図７参照）。すなわち、筺体１０は、傾斜面１０ｅが形成される傾斜面形成部１０ｆを備えている。
【００７０】
傾斜面形成部１０ｆの後端には、ガラス板３の前端面３ａが当接可能な当接面１０ｇが形成されている。当接面１０ｇは、前後方向に直交する平面となっている。当接面１０ｇの上端は、傾斜面１０ｅの上端１０ｈ（図８参照）と繋がっている。傾斜面形成部１０ｆの後端の、当接面１０ｇの下側には、凹部１０ｄの一部が形成されており、この凹部１０ｄの一部は、傾斜面形成部１０ｆの後端から前側に向かって窪んでいる。
【００７１】
当接面１０ｇの下側に形成される凹部１０ｄの一部の上側面は、傾斜面１０ｅとほぼ同じ角度で傾斜する傾斜面となっている。当接面１０ｇの下側に形成される凹部１０ｄの一部の前側面は、前後方向に直交する平面となっている。当接面１０ｇの下側に形成される凹部１０ｄの一部の下側面は、クッション部材５０の一部を下側から支持する支持面１０ｊとなっている。すなわち、傾斜面形成部１０ｆには、クッション部材５０の一部を下側から支持する支持面１０ｊが形成されている。支持面１０ｊは、上下方向に略直交する平面となっている。支持面１０ｊの後端は、当接面１０ｇよりも後ろ側に配置されている。凹部１０ｄに配置されるクッション部材５０の後端は、支持面１０ｊの後端よりも前側に配置されている。
【００７２】
ガラス板３の前端面３ａは、当接面１０ｇの下側で後ろ側からクッション部材５０に接触している。また、ガラス板３の下面３ｅの前端部は、上側からクッション部材５０に接触している。ガラス板３の前端面３ａおよび下面３ｅの前端部は、クッション部材５０に所定の接触圧で接触しており、クッション部材５０は、弾性変形している。たとえば、クッション部材５０の後端部は、図８の二点鎖線で示す位置から実線で示す位置まで弾性変形している。なお、カバー部材１５の前端面（すなわち、上面部１５ａの前端面および２個の側面部１５ｂの前端面）も後ろ側からクッション部材５０に所定の接触圧で接触している。
【００７３】
ガラス板３の前端面３ａは、当接面１０ｇに当接しているか、または、当接面１０ｇとの間にわずかな隙間をあけた状態で当接面１０ｇよりも後ろ側に配置されている。すなわち、当接面１０ｇの上端となる傾斜面１０ｅの上端１０ｈは、前後方向においてガラス板３の前端面３ａと同じ位置に配置されているか、または、前端面３ａよりもわずかに前側に配置されており、傾斜面１０ｅの上端１０ｈは、前後方向において前端面３ａと略同じ位置に配置されている。また、傾斜面１０ｅの上端１０ｈは、上下方向においてガラス板３の上面３ｂと傾斜面３ｃの下端３ｄ（図８参照）との間に配置されている。すなわち、傾斜面１０ｅの上端１０ｈは、上下方向においてガラス板３の上面３ｂと前端面３ａの上端との間に配置されている。
【００７４】
上下方向において、ガラス板３の下面３ｅと支持面１０ｊとの間には、隙間が形成されている。ガラス板３の下面３ｅと支持面１０ｊとの上下方向の距離Ｌ１（図８参照）は、ガラス板３の上面３ｂと傾斜面１０ｅの上端１０ｈとの上下方向の距離Ｌ２（図８参照）以上となっている。本形態では、距離Ｌ１は、距離Ｌ２よりも長くなっている。
【００７５】
（情報読取装置の情報読取動作）
情報読取装置１でパスポート２Ａに記録された情報が読み取られる場合、パスポート２Ａは、個人情報が記録された表紙の裏面が下側を向くように媒体挿入口１０ａに挿入される。パスポート２Ａが媒体挿入口１０ａに挿入されると、押え部４１ａがパスポート２Ａによって持ち上げられてパスポート２Ａの左右方向の両端部が押え部４１ａによって上側から押えられるとともに、パスポート２Ａの奥端が接触部４２ａよりも後ろ側に入り込んで、パスポート２Ａがガラス板３に載置される。パスポート２Ａがガラス板３に載置されると、照明４が光を照射して、パスポート２Ａに記録された情報が光学的に読み取られる。情報読取装置１でパスポート２Ａに記録された情報が読み取られると、パスポート２Ａは情報読取装置１から抜き取られる。
【００７６】
一方、情報読取装置１でＩＤカード２Ｂに記録された情報が読み取られる場合、ＩＤカード２Ｂが情報読取装置１に挿入される。ＩＤカード２Ｂが情報読取装置１に挿入されると、接触部４２ａにＩＤカード２Ｂの奥端が接触して、ＩＤカード２Ｂがガラス板３に載置される。ＩＤカード２Ｂがガラス板３に載置されると、まず、照明４が光を照射して、ＩＤカード２Ｂの下面に記録された情報が光学的に読み取られる。ＩＤカード２Ｂの下面に記録された情報が読み取られると、照明５が光を照射して、ＩＤカード２Ｂの上面に記録された情報が光学的に読み取られる。情報読取装置１でＩＤカード２Ｂに記録された情報が読み取られると、ＩＤカード２Ｂは情報読取装置１から抜き取られる。なお、ＩＤカード２Ｂに記録された情報が読み取られる場合、ＩＤカード２Ｂの上面に記録された情報が読み取られた後に、ＩＤカード２Ｂの下面に記録された情報が読み取られても良い。
【００７７】
（本形態の主な効果）
以上説明したように、本形態では、前側に向かうにしたがって下側に向かうように傾斜するとともに媒体挿入口１０ａの下側かつ前側に配置される傾斜面１０ｅの上端１０ｈは、前後方向においてガラス板３の前端面３ａと略同じ位置に配置されている。そのため、本形態では、ガラス板３の前側が傾斜面１０ｅとなっていても、綴じ目部分２ａで折れ曲がっていて折り目が付いているパスポート２Ａを開いた状態でパスポート２Ａの一部をガラス板３に載置するときに、パスポート２Ａの綴じ目部分２ａが筐体１０とガラス板３との境界部分の手前で引っ掛かるのを防止することが可能になる（図９（Ａ）参照）。
【００７８】
本形態では、情報記録媒体２が載置されるガラス板３の上面３ｂと前端面３ａとの境界に傾斜面３ｃが形成されている。また、本形態では、傾斜面１０ｅの上端１０ｈは、上下方向においてガラス板３の上面３ｂと傾斜面３ｃの下端３ｄとの間に配置されている。そのため、本形態では、ＩＤカード２Ｂをガラス板３に載置するときに、ＩＤカード２Ｂの奥端が筐体１０とガラス板３との境界部分で引っ掛かるのを防止することが可能になるとともに、ガラス板３に載置されたＩＤカード２Ｂを抜き取るときに、ＩＤカード２Ｂの前端が筐体１０とガラス板３との境界部分で引っ掛かるのを防止することが可能になる（図９（Ｂ）参照）。また、パスポート２Ａの一部をガラス板３に載置するときに、パスポート２Ａの奥端が筐体１０とガラス板３との境界部分で引っ掛かるのを防止することが可能になる。
【００７９】
本形態では、筐体前部１０ｂの前面部と媒体配置部１６の前端との間にクッション部材５０が配置されている。そのため、本形態では、クッション部材５０によって、筐体前部１０ｂの前面部と媒体配置部１６の前端との間から、筐体１０の内部の、光源４、５および光学系６、７が配置された部分に塵埃等が入り込むのを防止することが可能になる。また、本形態では、クッション部材５０によって、ガラス板３の損傷を防止することが可能になる。
【００８０】
本形態では、ガラス板３の下面３ｅと筐体１０の支持面１０ｊとの間に隙間が形成されている。そのため、本形態では、クッション部材５０の一部を下側から確実に支持するために、支持面１０ｊの後端が当接面１０ｇより後ろ側に配置されていても、また、ガラス板３に載置されたパスポート２Ａをガラス板３の上面３ｂに接触させるために、使用者がパスポート２Ａをガラス板３に押し付けても、ガラス板３の下面３ｅと支持面１０ｊとの接触を防止して、ガラス板３等の損傷を防止することが可能になる。
【００８１】
特に本形態では、ガラス板３の下面３ｅと支持面１０ｊとの上下方向の距離Ｌ１が、ガラス板３の上面３ｂと傾斜面１０ｅの上端１０ｈとの上下方向の距離Ｌ２よりも長くなっているため、使用者がパスポート２Ａをガラス板３に押し付けたときの、ガラス板３の下面３ｅと支持面１０ｊとの接触を効果的に防止して、ガラス板３等の損傷を効果的に防止することが可能になる。
【００８２】
（他の実施の形態）
上述した形態は、本発明の好適な形態の一例ではあるが、これに限定されるものではなく本発明の要旨を変更しない範囲において種々変形実施が可能である。
【００８３】
上述した形態において、前後方向に対する傾斜面３ｃの傾斜角度は、４５°より小さくなっていても良いし、４５°を超えていても良い。また、上述した形態において、傾斜面３ｃは、前側に向かうにしたがって下側に向かうように傾斜する凸曲面状に形成されていても良い。たとえば、傾斜面３ｃは、Ｒ面取り加工によって形成されていても良い。また、上述した形態において、筐体１０の傾斜面１０ｅは、段差のない凸曲面状に形成されていても良い。
【００８４】
上述した形態において、傾斜面１０ｅの上端１０ｈと当接面１０ｇの上端とが繋がっていなくても良い。この場合には、たとえば、当接面１０ｇの上端は、上下方向に直交する段差面の後端に繋がっている。また、上述した形態において、ガラス板３の下面３ｅと筐体１０の支持面１０ｊとの上下方向の距離Ｌ１は、ガラス板３の上面３ｂと傾斜面１０ｅの上端１０ｈとの上下方向の距離Ｌ２より短くなっていても良い。また、上述した形態において、ガラス板３の下面３ｅと支持面１０ｊとが接触していても良い。
【００８５】
上述した形態において、情報読取装置１は、ガラス板３に代えて、たとえば、アクリル板等の透明な樹脂板を備えていても良い。また、上述した形態において、情報記録媒体２は、パスポート２ＡおよびＩＤカード２Ｂ以外の媒体であっても良い。たとえば、情報記録媒体２は、パスポート２Ａ以外の冊子状の情報記録媒体であっても良いし、運転免許証であっても良い。さらに、上述した形態において、情報読取装置１は、媒体押え機構１２を備えていなくても良い。また、上述した形態において、情報読取装置１は、情報記録媒体２の搬送機構を有する媒体搬送式の読取装置であっても良い。
【符号の説明】
【００８６】
１  情報読取装置
２  情報記録媒体
３  ガラス板（載置板）
３ａ  前端面（載置板の前端面）
３ｂ  上面（載置板の上面）
３ｃ  傾斜面（第２傾斜面）
３ｄ  傾斜面の下端（第２傾斜面の下端）
３ｅ  下面（載置板の下面）
４、５  照明
６、７  光学系
１０  筐体
１０ａ  媒体挿入口
１０ｄ  凹部
１０ｅ  傾斜面
１０ｆ  傾斜面形成部
１０ｇ  当接面
１０ｈ  傾斜面の上端
１０ｊ  支持面
５０  クッション部材
Ｌ１  載置板の下面と支持面との上下方向の距離
Ｌ２  載置板の上面と傾斜面の上端との上下方向の距離
Ｙ  前後方向
Ｙ１  前側
Ｙ２  後ろ側
【図１】
2019186765.tif 000003
【図２】
2019186765.tif 000004
【図３】
2019186765.tif 000005
【図４】
2019186765.tif 000006
【図５】
2019186765.tif 000007
【図６】
2019186765.tif 000008
【図７】
2019186765.tif 000009
【図８】
2019186765.tif 000010
【図９】
2019186765.tif 000011